(57)【要約】【課題】本発明は、マスク自体の通気性を維持したまま、白金ナノ粒子をマスク全面にムラなく塗布することができ、しかも、極めて短時間のうちに塗布作業を完了することができる被爆予防マスクに対する、被曝予防剤塗布装置及び被曝予防剤塗布方法を提供することを目的とする。【解決手段】本発明に係る被曝予防剤塗布装置は、マスク本体部１の外表面を上方に向けて載置する基台１１と、基台１１の上方を移動しながらマスク本体部１に向けて被曝予防剤を噴霧する吹き付け架台１２Ａにより構成され、吹き付け架台１２Ａは、マスク本体部１の外表面に向けて、被曝予防剤としての白金ナノ粒子を異なる角度で噴き付ける、一対のスプレーガンＳＰ１，ＳＰ２を備えていることを特徴とする。【選択図】図１
2018176137.tif 000002
【特許請求の範囲】
【請求項１】
装着する者の鼻と口を覆う特殊形状のマスク本体部の外表面に、被曝予防剤を満遍なく塗布するための被曝予防剤塗布装置であって、マスク本体部の外表面を上方に向けて載置する基台と、基台の上方を移動しながらマスク本体部に向けて被曝予防剤を噴霧する吹き付け架台により構成され、吹き付け架台は、マスク本体部の外表面に向けて、被曝予防剤としての白金ナノ粒子を異なる角度で噴き付ける、一対のスプレーガンを備えていることを特徴とする被曝予防剤塗布装置。
【請求項２】
基台は略長方形状に形成され、吹き付け架台は、基台の上方において基台の長手方向に直交するように配置された横架部材を備えており、この横架部材に直交する方向に支持バーが配置され、この支持バーに一対のスプレーガンが取り付けられている請求項１に記載の被曝予防剤塗布装置。
【請求項３】
横架部材に直交する方向に複数の支持バーが配置され、それぞれの支持バーに一対のスプレーガンが取り付けられている請求項２に記載の被曝予防剤塗布装置。
【請求項４】
複数のマスク本体部は、収容ケースの中に並んでおり、収容ケースは基台上に載せられる請求項１または２に記載の被曝予防剤塗布装置。
【請求項５】
横架部材の支持バーに取り付けられている一対のスプレーガンは、支持バーにおいて若干離隔した状態で、噴出口が互いに内側を向くように斜めに配置されている請求項２記載の被曝予防剤塗布装置。
【請求項６】
吹き付け架台の一対のスプレーガンは、マスク本体部の上方の所定の位置において、マスク本体部の外表面に向けて白金ナノ粒子を噴き付けた後、吹き付け架台を移動させて、白金ナノ粒子を再度噴き付ける請求項１又は２に記載の被曝予防剤塗布装置。
【請求項７】
マスク本体部は、装着する者の鼻を覆う急峻な曲面を有する鼻側覆面部と、装着する者の口を覆う緩やかな曲面を有する口側覆面部とから成る山形状に形成されており、マスク本体部の上方において、一対のスプレーガンのうち、一方側のスプレーガンの噴出口が鼻側覆面部に向けられ、他方側のスプレーガンの噴出口が口側覆面部に向けられている請求項１，４，６のいずれかに記載の被爆予防マスクの被曝予防剤塗布装置。
【請求項８】
噴出口が鼻側覆面部に向けられている一方側のスプレーガンは、垂線Ｃに対して３７°の傾斜角度を有するように配置され、また、噴出口が口側覆面部に向けられている他方側のスプレーガンは、垂線Ｃに対して３０°の傾斜角度を有するように配置されている請求項７に記載の被爆予防マスクの被曝予防剤塗布装置。
【請求項９】
装着する者の鼻と口を覆う特殊形状のマスク本体部の外表面に、被曝予防剤を満遍なく塗布するための被曝予防剤塗布方法であって、マスク本体部の外表面を上方に向けて載置する基台の上方を移動する吹き付け架台の横架部材に直交する方向に配置された支持バーの一対のスプレーガンからマスク本体部の外表面に向けて被曝予防剤としての白金ナノ粒子を異なる角度で噴き付ける第１噴き付け工程と、吹き付け架台を基台で所定の距離だけ移動させる移動工程と、吹き付け架台の移動した位置にてマスク本体部の外表面に向けて前記一対のスプレーガンによって被曝予防剤としての白金ナノ粒子を異なる角度で再度噴き付ける第２噴き付け工程とから成ることを特徴とする被爆予防マスクの被曝予防剤塗布方法。
【請求項１０】
白金ナノ粒子を噴き付けたマスク本体部の外表面を、自然乾燥させる乾燥工程を含む請求項９記載の被爆予防マスクの被曝予防剤塗布方法。
【請求項１１】
白金ナノ粒子を噴き付けたマスク本体部の外表面を自然乾燥させる乾燥工程は、複数のマスク本体部を並べて収容した収容ケースを、ケージに掛けて行われる請求項１０記載の被爆予防マスクの被曝予防剤塗布方法。
【発明の詳細な説明】
【技術分野】
【０００１】
本発明は、例えば、シンチレーション式の放射線計測器等を用いて放射線源の線量を計測するとき、或いは、放射線源に近い場所にて作業を行うとき、等に放射線から作業員を守るために使用される被爆予防マスクに対する、被曝予防剤塗布装置及び被曝予防剤塗布方法に関するものである。
【背景技術】
【０００２】
一般的に、不可視の放射性物質は、口や鼻等から人体内部に侵入し、体内被曝を起こす。そこで、近年においては、放射性物質を吸着及び結晶化して可視状態とし、これによって体内被曝を防ぐためのマスクやクロス等が開発されている。
【０００３】
因みに、防塵性能の高いＮ−９５フィルタに白金ナノ粒子を塗布して担持させたマスクは、高濃度の放射性物質を強力に吸着し結晶化及び発色させ、放射性物質をマスク表面に止めて体内被曝を予防することができる。
【０００４】
また、従来においては、特許文献１に示すように、形状保持性、通気性に優れ、かつ、微粒子捕捉性の高い使い捨てマスクが提案されている。
【０００５】
即ち、この使い捨てマスクは、マスク本体部が外側不織布層と内側不織布層とを少なくとも備える多層構成であり、外側不織布層を構成する不織布は、面積比率で３％以上１５％以下の圧縮凹部が形成されており、ＫＥＳ通気性試験機による通気抵抗値が０．０１ｋＰａ・ｓ／ｍ以上０．０５ｋＰａ・ｓ／ｍであり、内側不織布層を構成する不織布の通気抵抗値は、外側不織布層を構成する不織布より大きくフィルタ効果を有している。
【０００６】
また、この特許文献１では、外側不織布層と前記内側不織布層とがホットメルトによって接合されており、前記ホットメルトの塗布量が１．０以上３．０ｇ／ｍ２以下である。このホットメルトの塗布方法としては、従来公知のカーテンコート等の他、全面塗布や、ポイント塗布のような非全面塗布であっても良いものとされている。
【先行技術文献】
【特許文献】
【０００７】
【特許文献１】特開２０１４−２１７４６１号公報
【発明の概要】
【発明が解決しようとする課題】
【０００８】
上記した様に、従来の被曝防止用のマスクにおいては、通気性を低下させることなく、白金ナノ粒子を均一に塗布することが必要不可欠である。
【０００９】
しかし、上記した、特許文献１による、例えば、マスク全面へのホットメルト塗布技術を、白金ナノ粒子の塗布技術として応用したとしても、塗布量が１．０以上３．０ｇ／ｍ２以下であるため、マスク全面にムラなく均一に被曝予防剤塗布装置ことは困難である。
【００１０】
因みに、従来のマスクは、鼻を覆う位置に相当する側が急峻な曲面を有し、口を覆う位置に相当する側が緩やかな曲面を有することから、白金ナノ粒子の塗布作業を実施する場合には、これらの両曲面にムラなく塗布できるよう、その都度、マスク全体の向きを変えなければならず、費やされる時間と労力が極めて大きいものとなる。
【００１１】
しかも、このような連続した塗布作業では、マスク全面にわたって白金ナノ粒子のムラが生じ易く、且つ通気性も劣るものとなる。
【００１２】
そこで、本発明は如上のような従来存した諸事情に鑑み創出されたもので、マスク自体の通気性を維持したまま、白金ナノ粒子をマスク全面にムラなく塗布することができ、しかも、極めて短時間のうちに塗布作業を完了することができる被爆予防マスクに対する、被曝予防剤塗布装置及び被曝予防剤塗布方法を提供することを目的とする。
【課題を解決するための手段】
【００１３】
本発明に係る請求項１の発明は、装着する者の鼻と口を覆う特殊形状のマスク本体部の外表面に、被曝予防剤を満遍なく塗布するための被曝予防剤塗布装置であって、マスク本体部の外表面を上方に向けて載置する基台と、基台の上方を移動しながらマスク本体部に向けて被曝予防剤を噴霧する吹き付け架台により構成され、吹き付け架台は、マスク本体部の外表面に向けて、被曝予防剤としての白金ナノ粒子を異なる角度で噴き付ける、一対のスプレーガンを備えていることで、上述した課題を解決した。
【００１４】
この請求項１に係る被曝予防剤塗布装置によれば、基台の上方を移動する吹き付け架台に備えた一対のスプレーガンから、移動の前後において、白金ナノ粒子をマスク本体部に向けて異なる角度で噴き付けるので、極めて短時間のうちに白金ナノ粒子の塗布作業を完了させることができる。これにより、高濃度の放射性物質を強力に吸着し結晶化及び発色させ、放射性物質をマスク本体部の表面に止めて体内被曝を予防することができる。
【００１５】
本発明に係る請求項２の発明は、基台は略長方形状に形成され、吹き付け架台は、基台の上方において基台の長手方向に直交するように配置された横架部材を備えており、この横架部材に直交する方向に支持バーが配置され、この支持バーに一対のスプレーガンが取り付けられていることで、上述した課題を解決した。
【００１６】
この請求項２に係る被曝予防剤塗布装置によれば、スプレーガンによる白金ナノ粒子の塗布作業を効率良く行うことができ、被曝防止用マスクの低コストによる量産化が可能となる。
【００１７】
本発明に係る請求項３の発明は、横架部材に直交する方向に複数の支持バーが配置され、それぞれの支持バーに一対のスプレーガンが取り付けられていることで、上述した課題を解決した。
【００１８】
この請求項３に係る被曝予防剤塗布装置によれば、それぞれの支持バーに取り付けられた各スプレーガンによって、極めて短時間のうちに白金ナノ粒子の塗布作業を完了させることができ、被曝防止用マスクの低コストによる量産化が可能となる。
【００１９】
本発明に係る請求項４の発明は、複数のマスク本体部は、収容ケースの中に並んでおり、収容ケースは基台上に載せられることで、上述した課題を解決した。
【００２０】
この請求項４に係る被曝予防剤塗布装置によれば、収容ケースの中に並んでいる複数のマスク本体部の全てに対して、極めて短時間のうちに白金ナノ粒子の塗布作業を完了させることができる。
【００２１】
しかも、多数のマスク本体部を収容ケースに設置したままの状態で、全てのマスク本体部に、白金ナノ粒子を均一に噴き付けることが可能となる。そのため、従来のように、マスク本体部の向きを変えながら塗布するという、面倒な作業を省略する事ができる。
【００２２】
本発明に係る請求項５の発明は、横架部材の支持バーに取り付けられている一対のスプレーガンは、支持バーにおいて若干離隔した状態で、噴出口が互いに内側を向くように斜めに配置されていることで、上述した課題を解決した。
【００２３】
この請求項５に係る被曝予防剤塗布装置によれば、一対のスプレーガンによって、マスク本体部の全面に対し、白金ナノ粒子を確実に均一となるように噴き付けることができる。
【００２４】
本発明に係る請求項６の発明は、吹き付け架台の一対のスプレーガンは、マスク本体部の上方の所定の位置において、マスク本体部の外表面に向けて白金ナノ粒子を噴き付けた後、吹き付け架台を移動させて、白金ナノ粒子を再度噴き付けることで、上述した課題を解決した。
【００２５】
この請求項６に係る被曝予防剤塗布装置によれば、吹き付け架台の移動を介して、白金ナノ粒子を２回噴き付けることにより、マスク本体部の全面に対し、白金ナノ粒子を確実に均一となるように噴き付けることができる。
【００２６】
本発明に係る請求項７の発明は、マスク本体部は、装着する者の鼻を覆う急峻な曲面を有する鼻側覆面部と、装着する者の口を覆う緩やかな曲面を有する口側覆面部とから成る山形状に形成されており、マスク本体部の上方において、一対のスプレーガンのうち、一方側のスプレーガンの噴出口が鼻側覆面部に向けられ、他方側のスプレーガンの噴出口が口側覆面部に向けられていることで、上述した課題を解決した。
【００２７】
この請求項７に係る被曝予防剤塗布装置によれば、一対のスプレーガンにより、急峻な曲面を有する鼻側覆面部と緩やかな曲面を有する口側覆面部の全面に対し、白金ナノ粒子を確実に均一となるように噴き付けることができる。
【００２８】
本発明に係る請求項８の発明は、噴出口が鼻側覆面部に向けられている一方側のスプレーガンは、垂線Ｃに対して３７°の傾斜角度を有するように配置され、また、噴出口が口側覆面部に向けられている他方側のスプレーガンは、垂線に対して３０°の傾斜角度を有するように配置されていることで、上述した課題を解決した。
【００２９】
この請求項８に係る被曝予防剤塗布装置によれば、急峻な曲面を有する鼻側覆面部に噴射口が対向するように、垂線Ｃに対して３７°の傾斜角度を有する一方側のスプレーガンが配置され、また、緩やかな曲面を有する口側覆面部に噴射口が対向するように、垂線Ｃに対して３０°の傾斜角度を有する他方側のスプレーガンが配置されることから、マスク本体部の外表面全体に渡って、均一となるよう白金ナノ粒子を確実に噴き付けることができる。
【００３０】
本発明に係る請求項９の発明は、装着する者の鼻と口を覆う特殊形状のマスク本体部の外表面に、被曝予防剤を満遍なく塗布するための被曝予防剤塗布方法であって、マスク本体部の外表面を上方に向けて載置する基台の上方を移動する吹き付け架台の横架部材に直交する方向に配置された支持バーの一対のスプレーガンからマスク本体部の外表面に向けて被曝予防剤としての白金ナノ粒子を異なる角度で噴き付ける第１噴き付け工程と、吹き付け架台を基台上で所定の距離だけ移動させる移動工程と、吹き付け架台の移動した位置にてマスク本体部の外表面に向けて前記一対のスプレーガンによって被曝予防剤としての白金ナノ粒子を異なる角度で再度噴き付ける第２噴き付け工程と、から成ることで、上述した課題を解決した。
【００３１】
この請求項９に係る被曝予防剤塗布方法によれば、第１噴き付け工程、移動工程、第２噴き付け工程による一連の動作によって、マスク本体部の各全面に対し、白金ナノ粒子を確実に均一となるように吹き付けることができる。
【００３２】
そのため、高濃度の放射性物質を強力に吸着して結晶化及び発色させ、放射性物質をマスク本体部の表面に止めて、体内被曝を予防することができる。また、被曝防止用マスクの、低コストによる量産化が可能となる。
【００３３】
本発明に係る請求項１０の発明は、白金ナノ粒子を噴き付けたマスク本体部の外表面を、自然乾燥させる乾燥工程を含むことで、上述した課題を解決した。
【００３４】
この請求項１０に係る被曝予防剤塗布方法によれば、マスク本体部の各全面に対して均一に噴き付けた後の白金ナノ粒子を自然乾燥させることで、高濃度の放射性物質を強力に吸着して結晶化及び発色させ、放射性物質をマスク本体部の表面に止めることができる被爆予防マスクを、容易に製造できる。
【００３５】
本発明に係る請求項１１の発明は、白金ナノ粒子を噴き付けたマスク本体部の外表面を自然乾燥させる乾燥工程は、複数のマスク本体部を並べて収容した収容ケースを、ケージに掛けて行われることで、上述した課題を解決した。
【００３６】
この請求項１１に係る被曝予防剤塗布方法によれば、ケージに掛けられた収容ケース内の複数のマスク本体部の各全面に対して、均一に噴き付けた後の白金ナノ粒子を自然乾燥させることで、高濃度の放射性物質を強力に吸着して結晶化及び発色させることのできる大量の被爆予防マスクを容易に製造できる。
【００３７】
そのため、放射性物質を表面に止めて体内被曝を予防することができる被曝防止用マスクの、低コストによる量産化が可能となる。
【発明の効果】
【００３８】
本発明により、マスク自体の通気性を維持したまま、白金ナノ粒子をマスク全面にムラなく塗布することができ、しかも、極めて短時間のうちに塗布作業を完了することができる。
【００３９】
また、急峻な曲面を有する鼻側覆面部と緩やかな曲面を有する口側覆面部に対し、白金ナノ粒子を確実に均一となるように噴き付けることができる。
【００４０】
さらに、本発明によれば、複数のマスク本体部を設置したままの状態で、全てのマスク本体部に白金ナノ粒子を均一となるように噴き付けることができる。
【００４１】
そのため、従来のように、マスク本体部の向きを変えながら塗布するという面倒な作業を省略する事ができ、被曝防止マスクの製造効率を飛躍的に向上させることができる。
【図面の簡単な説明】
【００４２】
【図１】マスク本体部への被曝防止剤の塗布作業の概略を示す斜視図である。
【図２】２つのスプレーガンのマスク本体部に対する傾斜角度の設定状態を示す側面図である。
【図３】マスクを収容した載置台の一例を示す斜視図である。
【図４】被曝予防剤塗布装置の概略を示す斜視図である。
【図５】可搬式の自動スプレーガンの構成を示す斜視図である。
【図６】マスクを収容した載置台の乾燥工程における設置状態の一例を示す斜視図である。
【図７】マスクの使用状態を示す斜視図である。
【図８】被曝予防剤塗布装置の他例を示す斜視図である。
【図９】被曝予防剤塗布装置の他例において、２つのスプレーガンのマスク本体部に対する傾斜角度の設定状態を示す側面図である。
【発明を実施するための形態】
【００４３】
＜実施の形態＞
以下に、図面を参照して、本発明の一実施の形態について説明する。
【００４４】
＜マスクの構成＞
図１、図２、及び図７に示すように、マスク本体部１は、装着する者の鼻を覆う急峻な曲面を有し且つ鼻当て用の帯状の補形部材Ｈを内包若しくは貼着した鼻側覆面部１Ａと、装着する者の口を覆う緩やかな曲面を有する口側覆面部１Ｂとから成る山形状に形成された特殊形状となっている。
【００４５】
また、マスク本体部１の左右両側には、耳掛け部２、若しくは、後頭部掛け部２が備えられている。尚、このような両面部１Ａ，１Ｂを備えた特殊形状のマスクに限定されることはなく、様々な山形形状のマスク本体部１にも適用可能である。
【００４６】
＜被曝予防剤塗布装置の構成＞
本実施形態に係る被曝予防剤塗布装置は、装着する者の鼻と口を覆う上記した特殊形状のマスク本体部１の外表面に、被曝予防剤を満遍なく塗布するものである。
【００４７】
具体的には、図４に示すように、マスク本体部１の外表面を上方に向けて載置する基台１１と、基台１１の上方を移動しながらマスク本体部１に向けて被曝予防剤を噴霧する吹き付け架台１２Ａにより構成されている。
【００４８】
この吹き付け架台１２Ａは、マスク本体部１の外表面に向けて、被曝予防剤としての白金ナノ粒子を異なる角度で噴き付ける、一対のスプレーガンＳＰ１，ＳＰ２を備えている。
【００４９】
上記基台１１は、図４に示すように、略長方形状に形成され、下部の四隅に脚部１１Ａを備え、上面には、左右一対の壁部１１Ｂ，１１Ｃによって囲まれた収容空間部Ｐを備えている。
【００５０】
また、一方の壁部１１Ｂの外側には、当該壁部１１Ｂの長さ方向に沿ってレール状の溝部１１Ｄが設けられ、この溝部１１Ｄに沿って吹き付け架台１２Ａが基台１１の長手方向（前後方向）に沿って移動できるようになっている。
【００５１】
即ち、図４に示すように、溝部１１Ｄの一端側には吹き付け架台１２Ａを動かすための駆動用モータＭが取り付けられ、駆動用モータＭの駆動軸には、不図示の棒ネジが連結されて溝部１１Ｄの内側に配されている。
【００５２】
そして、吹き付け架台１２Ａの下端には、溝部１１Ｄに沿って摺動するスライダ１２Ｂが設けられ、スライダ１２Ｂの下面には、前記棒ネジがねじ込められた不図示のナット部材が固定されている。これによって、駆動用モータＭが作動して棒ネジが回転すると、ナット部材を介してスライダ１２Ｂが吹き付け架台１２Ａと供に、溝部１１Ｄに沿って移動する。
【００５３】
吹き付け架台１２Ａは、基台１１の上方において、基台１１の長手方向に直交するように配置された横架部材１２を備えている。
【００５４】
横架部材１２には、図４に示すように、横架部材１２に直交する方向、即ち収容空間部Ｐの長さ方向に沿ってアーチ状の複数の支持バー１２Ｃが収容空間部Ｐの幅方向に沿って等間隔毎に並置され、それぞれの支持バー１２Ｃの両端には、スプレーガンＳＰ１，ＳＰ２が取り付けられている。
【００５５】
横架部材１２の支持バー１２Ｃに取り付けられている一対のスプレーガンＳＰ１，ＳＰ２は、支持バー１２Ｃにおいて若干離隔した状態で、噴出口が互いに内側を向くように斜めに配置されている。
【００５６】
即ち、図２に示すように、スプレーガンＳＰ１，ＳＰ２のうち一方側ＳＰ１は、垂線Ｃに対して角度３７°となって、下方の収容空間部Ｐに設置された後述する収容ケース１３内の所定のマスク本体部１の鼻側覆面部１Ａに向けられ、スプレーガンＳＰ１，ＳＰ２のうち他方側ＳＰ２は、垂線Ｃに対して角度３０°となって、下方の収容空間部Ｐに設置された後述する収容ケース１３内の所定のスク本体部１の口側覆面部１Ｂに向けられている。
【００５７】
図３に示すように、複数のマスク本体部１は、収容ケース１３の中に並んでおり、収容ケース１３は基台１１上の収容空間部Ｐに配置される。
【００５８】
この収容ケース１３の中には、長さ方向に沿っての２枚の縦枠１３Ａと幅方向に沿っての４枚の横枠１３Ｂとを備えて、幅方向に３個で前後長さ方向に５個となって合計１５個の桝目となって仕切られている。
【００５９】
これら各桝目の内側には前後一対の支持枠１４が内底部から起立している。これら桝目の支持枠１４には、マスク本体部１の外表面（前面）が上方に向けられ、且つ、鼻側覆面部１Ａ側（又は口側覆面部１Ｂ側）が同じ方向に向くようにして載せられる。
【００６０】
そして、マスク本体部１の上方において、上記した一対のスプレーガンＳＰ１，ＳＰ２のうち、一方側のスプレーガンＳＰ１の噴出口が鼻側覆面部１Ａに向けられ、他方側のスプレーガンＳＰ２の噴出口が口側覆面部１Ｂに向けられる。
【００６１】
上記した吹き付け架台１２Ａの一対のスプレーガンＳＰ１，ＳＰ２は、マスク本体部１の上方の所定の位置において、マスク本体部１の外表面に向けて白金ナノ粒子を噴き付けた後、吹き付け架台１２Ａを移動させて、白金ナノ粒子を再度噴き付けるものとしている。この詳細については後述する。
【００６２】
＜可搬式の自動スプレーガンの構成＞
図５に示すように、スプレーガンＳＰ１，ＳＰ２は、カートによって移動可能としたデジタル制御式のコントロールユニット２１を介して、加圧タンク２２に接続されている。
【００６３】
また、スプレーガンＳＰ１，ＳＰ２のノズルは、中央の噴霧エアー・液ラインを挟んで２つのファンエアーを備えている。
【００６４】
そして、上記コントロールユニット２１による圧力調整の下で、被曝防止剤としての白金ナノ粒子はナノコロイド状の液となって中央の噴霧エアー・液ラインから吐出する。
【００６５】
＜乾燥用のケージの構成＞
スプレーガンＳＰ１，ＳＰ２によって、収容ケース３内の各マスク本体部１の外表面（前面）が白金ナノ粒子によって塗布された後には、収容ケース１３は、図６に示すように、上下複数段となってラック状に配置されたケージ３１に掛けられ、例えばドライヤ、送風機、あるいは自然乾燥によってマスク本体部１は乾燥される。
【００６６】
即ち、このケージ３１は、底部の下面四隅にキャスタＫを備えた縦長の矩形枠体３１Ａによって形成され、矩形枠体３１Ａの左右側で相対向するよう、上下方向に沿って等間隔毎にＬ字状の、例えば、アングル材等による支持枠３２が配置されている。収容ケース１３はこの両側の支持枠３２に架けられて乾燥される。
【００６７】
＜被曝予防剤塗布装置の他の構成＞
図８及び図９は、被曝予防剤塗布装置の他の構成を示すものであ。
【００６８】
本例においては、図８に示すように、横架部材１２に対し収容空間部Ｐの長さ方向に沿った前後対称な位置に棒状の一対の支持バー１２ＣＡ、１２ＣＢが、横架部材１２と略並行となるように設けられている。
【００６９】
そして、一方（前側）の支持バー１２ＣＡには、その長さ方向に沿って略等間隔となるように、複数のスプレーガンＳＰ１が取り付けられている。また、他方（後側）の支持バー１２ＣＢにも、その長さ方向に沿って略等間隔となるように、複数のスプレーガンＳＰ２が取り付けられている。
【００７０】
この他、横架部材１２の一端側には、収容空間部Ｐの長さ方向に沿って水平位置調整用の支持架台１２Ｄが設けられ、支持バー１２ＣＡ，１２ＣＢそれぞれの一端は、この支持架台１２Ｄに若干離隔した状態に載架されている。そして、支持バー１２ＣＡ，１２ＣＢそれぞれに取り付けられているスプレーガンＳＰ１，ＳＰ２は、噴出口が互いに内側を向くように斜めに配置される。
【００７１】
即ち、図９に示すように、スプレーガンＳＰ１，ＳＰ２のうち一方側ＳＰ１は、垂線Ｃに対して角度３７°となって、下方の収容空間部Ｐに設置された後述する収容ケース１３内の所定のマスク本体部１の鼻側覆面部１Ａに向けられている。また、スプレーガンＳＰ１，ＳＰ２のうち他方側ＳＰ２は、垂線Ｃに対して角度３０°となって、下方の収容空間部Ｐに設置された後述する収容ケース１３内の所定のスク本体部１の口側覆面部１Ｂに向けられている。
【００７２】
＜被曝予防剤塗布方法＞
次に、本実施形態に係る被曝予防剤塗布方法について説明する。
【００７３】
先ず、複数のマスク本体部１を収容ケース１３の各桝目に外表面を上にして且つ全てが同じ向きとなるように載置し、この収容ケース１３を基台１１の収容空間部Ｐ内に設置する。
【００７４】
このとき、収容ケース１３のこれら各桝目の支持枠１４には、マスク本体部１の鼻側覆面部１Ａ側（又は口側覆面部１Ｂ側）が同じ方向、例えば、基台１１の収容空間部Ｐの前方側に向くよう整列させた状態となって載せられる。
【００７５】
次に、基台１１の上方を移動する吹き付け架台１２Ａの横架部材１２に直交する方向に配置された支持バー１２Ｃの一対のスプレーガンＳＰ１，ＳＰ２から、マスク本体部１の外表面に向けて被曝予防剤としての白金ナノ粒子を異なる角度で噴き付ける（第１噴き付け工程）。
【００７６】
このとき、図２に示すように、スプレーガンＳＰ１，ＳＰ２のうち一方側ＳＰ１は、垂線Ｃに対して角度３７°となって急峻な曲面を有する鼻側覆面部１Ａに向けられ、スプレーガンＳＰ１，ＳＰ２のうち他方側ＳＰ２は、垂線Ｃに対して角度３０°となって緩やかな曲面を有する口側覆面部１Ｂに向けられて、各スプレーガンＳＰ１，ＳＰ２から同時に被曝防止剤としての白金ナノ粒子がナノコロイド状の液となって噴出される。
【００７７】
次いで、駆動用モータＭを作動させ、基台１１上で吹き付け架台１２Ａを溝部１１Ｄに沿って所定の時間（距離）だけ摺動させる。このとき、図１に示すように、マスク本体部１に対し、スプレーガンＳＰ１，ＳＰ２を備えた吹き付け架台１２Ａは所定の距離だけ、例えば、前方に移動する（移動工程）。
【００７８】
尚、この移動距離は、マスク本体部１に対してスプレーガンＳＰ１，ＳＰ２の噴射方向が、鼻側覆面部１Ａ及び口側覆面部１Ｂから逸脱しない程度の僅かな距離（例えば、数ｃｍ程度）である。
【００７９】
次いで、吹き付け架台１２Ａの移動した位置において、マスク本体部１の外表面に向けて一対のスプレーガンＳＰ１，ＳＰ２から白金ナノ粒子を再度噴き付ける（第２噴き付け工程）。これにより、スプレーガンＳＰ１，ＳＰ２のうち一方側ＳＰ１が鼻側覆面部１Ａの略全体にわたって白金ナノ粒子が噴き付けられると同時に、スプレーガンＳＰ１，ＳＰ２のうち他方側ＳＰ２が口側覆面部１Ｂの略全体にわたって白金ナノ粒子が噴き付けられることとなる。
【００８０】
次いで、基台１１の収容空間部Ｐ内から収容ケース１３を取り出し、図６に示すように、ケージ３１の支持枠３２に架けられ、例えばドライヤ、送風機、或いは自然乾燥等によって、白金ナノ粒子を噴き付けたマスク本体部１の表面を乾燥させる（乾燥工程）。
【００８１】
以上、説明したように、本実施形態では、マスク本体部１自体の通気性を維持したまま、白金ナノ粒子をマスク本体部１の全面にムラなく塗布することができ、しかも、極めて短時間のうちに塗布作業を完了することができる。
【００８２】
尚、上記した本実施形態においては、基台１１の収容空間部Ｐに収容ケース１３が不動となって載置され、スプレーガンＳＰ１，ＳＰ２を備えた吹き付け架台１２Ａを前後方向に移動させているが、これに限らず、スプレーガンＳＰ１，ＳＰ２を備えた吹き付け架台１２Ａを基台１１に固定しておき、収容ケース１３が基台１１の収容空間部Ｐ内で前後方向に移動できるようにしても良い。
【産業上の利用可能性】
【００８３】
本発明は、放射線から作業員を守るために使用される被爆予防マスクとして、種々の作業現場において、幅広く利用されるものである。
【符号の説明】
【００８４】
ＳＰ１…スプレーガン
ＳＰ２…スプレーガン
Ｐ…収容空間部
Ｋ…キャスタ
Ｃ…垂線
Ｍ…駆動用モータ
Ｈ…補形部材
１…マスク本体部
１Ａ…鼻側覆面部
１Ｂ…口側覆面部
２…耳掛け部、若しくは、後頭部掛け部
１１…基台
１１Ａ…脚部
１１Ｂ…壁部
１１Ｃ…壁部
１１Ｄ…溝部
１２…横架部材
１２Ａ…吹き付け架台
１２Ｂ…スライダ
１２Ｃ…支持バー
１２ＣＡ…支持バー
１２ＣＢ…支持バー
１２Ｄ…支持架台
１３…収容ケース
１３Ａ…縦枠
１３Ｂ…横枠
１４…支持枠
２１…コントロールユニット
２２…加圧タンク
３１…ケージ
３１Ａ…矩形枠体
３２…支持枠
【図１】
2018176137.tif 000003
【図２】
2018176137.tif 000004
【図３】
2018176137.tif 000005
【図４】
2018176137.tif 000006
【図５】
2018176137.tif 000007
【図６】
2018176137.tif 000008
【図７】
2018176137.tif 000009
【図８】
2018176137.tif 000010
【図９】
2018176137.tif 000011